(57)【要約】多数の伝送を選択的に合成して、多数のフレームを含むメッセージを回復するための技術。最初に、各伝送を別々に処理して、メッセージを回復する。メッセージを、１つの伝送から誤りなく回復できないときは、多数の伝送の部分を選択的に合成して、メッセージを回復する。第１の伝送から回復されたメッセージ内の消去フレーム（例えば、最良のパイロットＥｃ／Ｉ０をもつもの）と、他の伝送からの良好なフレームとを、（例えば、フレームレベルのＣＲＣに基づいて）判断する。１つ以上の合成メッセージを形成する。各合成メッセージは、消去フレームに代わる良好なフレームの異なる組を含む。所与の消去フレームに代わる良好なフレームが、１つの伝送から得られないときは、多数の伝送からのシンボルを合成して、良好なフレームを得る。各合成フレームを（例えば、メッセージレベルのＣＲＣに基づいて）検査して、合成メッセージが良好であるか、または消去されるかを判断する。
2005528007.tif 000002
【特許請求の範囲】
【請求項１】
無線通信システムにおいて、複数の受信伝送を選択的に合成して、複数のフレームを含むメッセージを回復するための方法であって、
複数の伝送の各々を別々に処理して、メッセージを回復することと、
メッセージが、１つの伝送から、誤りなく回復できないときは、
第１の伝送から回復されたメッセージ内の消去フレームを判断し、
複数の伝送の中の残りの伝送から回復された良好なフレームを判断し、
少なくとも１つの合成メッセージを形成し、各合成メッセージが、消去フレームに代わる良好なフレームの個々の合成を含み、
各合成されたメッセージを検査して、それが良好か、または消去されるかを判断することとを含む方法。
【請求項２】
第１の伝送が、複数の伝送の中で最高の信号品質をもつものである請求項１記載の方法。
【請求項３】
第１の伝送から回復されたメッセージ内の各フレームを検査することと、
検査に通らなかった各フレームを、消去フレームとして示すこととをさらに含む請求項１記載の方法。
【請求項４】
各フレームが、そのフレームのために生成された巡回冗長検査（cyclic redundancy check, CRC）ビットの組に基づいて検査される請求項３記載の方法。
【請求項５】
各合成メッセージが、そのメッセージのために生成された巡回冗長検査（ＣＲＣ）ビットの組に基づいて検査される請求項１記載の方法。
【請求項６】
１つの合成メッセージが、
第１の伝送から回復されたメッセージ内の各消去フレームを識別することと、
複数の伝送の中の１つから、各消去フレームに対応する良好なフレームを識別することと、
各消去フレームを、対応する良好なフレームに代えて、合成メッセージを形成することとによって形成される請求項１記載の方法。
【請求項７】
各消去フレームに対応する良好なフレームが、各フレームと関係付けられるフレーム番号に基づいて識別される請求項１記載の方法。
【請求項８】
複数の合成メッセージが、
第１の伝送から回復されたメッセージ内の消去フレームに代わる良好なフレームの複数の合成を識別することと、
消去フレームを、良好なフレームの各合成に代えて、各合成メッセージを形成することとによって形成される請求項１記載の方法。
【請求項９】
１つの伝送から、メッセージを誤りなく回復できず、かつ１つの伝送から、個々の消去フレームに対応する良好なフレームを得られないときは、
消去フレームに対応するように、２つ以上の伝送から２つ以上のフレームのシンボルを合成することと、
合成シンボルを復号して、消去フレームに代わる良好なフレームを得ることとをさらに含む請求項１記載の方法。
【請求項１０】
１つの伝送から、メッセージを誤りなく回復できず、かつ１つの伝送から、個々の消去フレームに対応する良好なフレームを得られないときは、
複数の伝送を格付けし、複数の伝送の格付けに基づいて判断された個々の順序で、消去フレームに対応するフレームのシンボルを合成することをさらに含む請求項９記載の方法。
【請求項１１】
複数の伝送が、信号品質に基づいて格付けされる請求項１０記載の方法。
【請求項１２】
１つの伝送から、メッセージを誤りなく回復できず、かつ１つの伝送から、個々の消去フレームに対応する良好なフレームを得られないときは、
２つ以上のフレームが回復される２つ以上の伝送の信号品質に基づいて判断される各重みに基づいて、消去フレームに対応する２つ以上のフレームの各々のシンボルに重み付けし、重み付けされたシンボルを合成することをさらに含む請求項９記載の方法。
【請求項１３】
各伝送が、各信号源からである請求項１記載の方法。
【請求項１４】
各伝送が、ＣＤＭＡシステム内の各基地局からの順方向リンク信号である請求項１記載の方法。
【請求項１５】
複数の受信伝送が、ほぼ同期している請求項１記載の方法。
【請求項１６】
複数の受信伝送が非同期である請求項１記載の方法。
【請求項１７】
誤りなく回復されるメッセージが、ページメッセージである請求項１記載の方法。
【請求項１８】
ＣＤＭＡ通信システムにおいて、複数の非同期の順方向リンク伝送を選択的に合成して、複数のフレームを含むページメッセージを回復するための方法であって、
複数の伝送の各々を別々に処理して、ページメッセージを回復することと、
ページメッセージを、１つの伝送から誤りなく回復できないときは、
各フレームと共に含まれる巡回冗長検査（ＣＲＣ）ビットの組に基づいて、第１の伝送から回復されたメッセージ内の消去フレームを判断し、
各消去フレームに代わって、複数の伝送の中の１つから回復された良好なフレームを判断し、
各消去フレームを、対応する良好なフレームに代えることによって、合成メッセージを形成し、
メッセージが良好であるか、または消去されるかを判断するために、メッセージと共に含まれるＣＲＣビットの組に基づいて、合成メッセージを検査することとを含む方法。
【請求項１９】
無線通信システム内の受信機装置であって、
受信信号内の複数の信号インスタンスを受信し、処理し、複数のシンボルストリームを供給するように動作する復調器であって、各シンボルストリームが、受信信号内に含まれる各受信伝送に対応する復調器と、
複数のシンボルストリームの各々を処理して、複数のフレームを含む各メッセージを回復するように動作する復号器と、
各回復されたメッセージ内の各フレームを、良好なフレームまたは消去フレームとして検出するように動作する第１の検出器と、
各回復されたメッセージを、良好なメッセージか、または消去メッセージとして検出するように動作する第２の検出器と、
１つのシンボルストリームから、メッセージを誤りなく回復できないときに、少なくとも１つの合成メッセージを形成するように動作するフレームアセンブラであって、各合成メッセージが、第１のシンボルストリームから回復されたメッセージ内の消去フレームに代わる良好なフレームの個々の合成を含むフレームアセンブラとを含み、
第２の検出器が、各合成メッセージを良好なメッセージまたは消去メッセージとして検出するようにも動作する受信機装置。
【請求項２０】
複数のシンボルストリームから回復された良好なフレームを記憶するように動作するフレーム緩衝器をさらに含む請求項１９記載の受信機装置。
【請求項２１】
復号器が、消去フレームに対応するように、２本以上のシンボルストリームから、２つ以上のフレームのシンボルを合成し、合成シンボルを復号して、消去フレームに代わる良好なフレームを得るように動作する請求項１９記載の受信機装置。
【請求項２２】
第１のシンボルストリームから回復されたメッセージ内の各消去フレームに対応するシンボルを記憶するように動作するシンボル緩衝器をさらに含む請求項２１記載の受信機装置。
【請求項２３】
第１および第２の検出器が、巡回冗長検査（ＣＲＣ）チェッカーである請求項１９記載の受信機装置。
【請求項２４】
誤りなく回復されるメッセージが、ページメッセージである請求項１９記載の受信機装置。
【請求項２５】
請求項１９記載の受信機装置を含むＣＤＭＡシステム内の端末。
【請求項２６】
無線通信システム内のディジタル信号プロセッサであって、
受信信号内の複数の信号インスタンスを処理して、複数のシンボルストリームを供給するための手段であって、各シンボルストリームが、受信信号内に含まれる各受信伝送に対応する手段と、
複数のシンボルストリームの各々を別々に復号して、複数のフレームを含む各メッセージを回復するための手段と、
各回復されたメッセージ内の各フレームを、良好なフレームまたは消去フレームとして検出するための手段と、
各回復されたメッセージを、良好なメッセージまたは消去メッセージとして検出するための手段と、
１本のシンボルストリームから、メッセージを誤りなく回復できないときに、少なくとも１つの合成メッセージを形成するための手段であって、各合成メッセージが、第１のシンボルストリームから回復されたメッセージ内の消去フレームに代わる良好なフレームの特定の合成を含み、各合成メッセージを検出して、合成メッセージが良好なメッセージであるかどうかを判断する手段とを含むディジタル信号プロセッサ。
【請求項２７】
無線通信システム内の受信機機器であって、
受信信号内の複数の信号インスタンスを処理して、複数のシンボルストリームを供給するための手段であって、各シンボルストリームが、受信信号内に含まれる各受信伝送に対応する手段と、
複数のシンボルストリームの各々を別々に復号して、複数のフレームを含む各メッセージを回復するための手段と、
各回復されたメッセージ内の各フレームを、良好なフレームまたは消去フレームとして検出するための手段と、
各回復されたメッセージを、良好なメッセージまたは消去メッセージとして検出するための手段と、
１本のシンボルストリームから、メッセージを誤りなく回復できないときに、少なくとも１つの合成メッセージを形成するための手段であって、各合成メッセージが、第１のシンボルストリームから回復されたメッセージ内の消去フレームに代わる良好なフレームの個々の合成を含み、各合成メッセージを検出して、合成メッセージが良好なメッセージであるかどうかを判断する手段とを含む受信機機器。
【発明の詳細な説明】
【技術分野】
【０００１】
本発明は、概ね、データ通信、とくに、無線（例えば、ＣＤＭＡ）通信システムにおいて多数の信号源（例えば、基地局）からの多数の不同期伝送を選択的に合成するための技術に関する。
【背景技術】
【０００２】
無線通信システムは、音声およびパケットデータサービスのような種々のタイプの通信を多数のユーザに供給するために幅広く展開されている。これらのシステムは、符号分割多重アクセス（code division multiple access, CDMA）、時分割多重アクセス（time division multiple access, TDMA）、周波数分割多重アクセス（frequency division multiple access, FDMA）、または他の多重アクセス技術に基づいている。ＣＤＭＡシステムは、他のタイプのシステムよりも、システム容量が増加していることを含めて、ある特定の長所を備えている。ＣＤＭＡシステムは、一般に、１つ以上の標準規格に従うように設計されている。標準規格には、例えば、IS-95、cdma2000、およびW-CDMAがあり、これらはこの技術において知られており、ここでは参考として取り上げている。
【０００３】
ＣＤＭＡシステムは、音声およびデータ通信を支援するように動作する。端末は、通信セッション（例えば、音声呼）中に、端末の“アクティブな組”の中に位置する１つ以上の基地局とアクティブな通信をする。端末は、ソフトハンドオフ（または、ソフトハンドオーバ）中に、多数の基地局と同時に通信をし、フェージングおよびマルチパスのような悪いパスの影響に対してダイバーシティを与えることができる。さらに加えて、端末は、アクティブな通信中か、またはアイドル中に、アクティブな組の中の基地局か、または他の基地局、あるいはこの両者から、例えば、パイロット、ページ、同報通信メッセージ、等のような、他の伝送タイプの信号を受信する。
【０００４】
幾つかのＣＤＭＡシステム（例えば、Ｗ−ＣＤＭＡシステム）において、基地局は、同期して動作する必要はない。非同期に動作するときは、端末の観点から、基地局のタイミングは整列せず、各基地局の基準時間は、それ以外の基地局の基準時間と異なる。この場合に、多数の非同期の基地局から伝送された同様にフォーマットされたメッセージは、端末において異なる時間に受信されることが多い。さらに加えて、基地局が同期して動作しているときでも、同様に、フォーマットされたメッセージは、多数の基地局から端末へ、（例えば、待ち行列遅延、ローディング、等のために）異なる時間に伝送される。この場合に、端末の観点から、これらのメッセージは、せいぜい“ほぼ同期”で伝送される。
【０００５】
端末が、“不同期”（非同期およびほぼ同期を含む）の多数の基地局から、同様にフォーマットされたメッセージを受信するときは、これらのメッセージを、適切なやり方で処理して、基礎メッセージを正しく回復しなければならない。同様にフォーマットされたメッセージは、異なる時間に端末に受信されるので、これらのメッセージでは、メッセージを回復するための復号前に、多数の信号インスタンス（または、マルチパス）のシンボルのように、シンボルレベルにおいて直接的に合成することはできない。基礎メッセージを、単一の受信伝送から誤りなく回復できないときは、メッセージを誤りなく回復できるように、多数の受信伝送を合成しなければならない。
【発明の開示】
【発明が解決しようとする課題】
【０００６】
したがって、多数の信号源からの多数の不同期の伝送を選択的に合成して、伝送されたメッセージを正しく回復するための技術が、この分野において必要とされている。
【課題を解決するための手段】
【０００７】
ここでは、所与の受信機装置（例えば、端末）を目標とする多数の不同期の伝送を選択的に合成して、伝送メッセージを誤りなく回復するための技術が与えられる。多数の不同期の伝送を選択的に適切に合成できることにより、向上した受信機の性能（例えば、より低いフレーム誤り率（frame error rate, FER）、より低い伝送電力レベル（したがって、ＣＤＭＡ通信システムにおける他のユーザへのより低い干渉）、および恐らくは他の効果が見込まれる。
【０００８】
特定の実施形態では、受信機装置において多数の不同期の伝送を選択的に合成して、多数のフレームを含む希望のメッセージを回復する方法が提供される。これらの伝送は、ＣＤＭＡ通信システムにおける多数の基地局からの順方向リンク伝送である。希望のメッセージは、ページメッセージ、同報通信メッセージ、または他のタイプのメッセージである。希望のメッセージは、フレームレベルおよびメッセージレベルの両者において、巡回冗長検査（cyclic redundancy check, CRC）符号のような、前方誤り検出（forward error detection, FED）符号で予め符号化され、順方向リンク伝送上で多数の信号源（すなわち、送信機装置）から受信機装置へ送られる。
【０００９】
最初に、各伝送を別々に処理して、その伝送において送られるメッセージを回復する。希望のメッセージを、１つの伝送から誤りなく回復できないときは、多数の伝送の部分を選択的に合成して、メッセージを回復する。伝送の１つは、第１の伝送として選択される（例えば、最良の信号品質をもつ伝送であって、例えば、１チップ当りのパイロットエネルギー対総雑音比（pilot energy-per-chip-to-total-noise ratio, Eｃ／I０）によって推定されるような伝送、または、最低数の消去フレームをもつ伝送）。この第１の伝送から回復されたメッセージ内の消去フレームは、（例えば、各フレームと共に含まれるＣＲＣビットの組に基づいて）判断され、他の伝送からの良好なフレームも判断される。
【００１０】
１つ以上の合成メッセージが形成され、各合成メッセージは、消去フレームに代わる良好なフレームの異なる組を含む。フレームレベルのタイミングが分かっているときは、第１の伝送から回復されたメッセージ内の各消去フレームを、他の伝送の１つからの対応する良好なフレームに代えることによって、１つの合成メッセージが形成される。フレームレベルのタイミングが分かっていないときは、消去フレームに代わる良好なフレームの種々の合成を試みる。各合成メッセージは、それが良好か、または消去されるかを判断するために、（例えば、メッセージと共に含まれるＣＲＣビットに基づいて）検査される。
【００１１】
１つの伝送から、消去フレームに代わる良好なフレームを得ることができないときは、消去フレームに対応する、２つ以上の伝送のシンボルを合成し、復号し、消去フレームに代わる良好なフレームを得る。伝送は（例えば、パイロットのＥｃ／Ｉ０に基づいて）格付けされ、消去フレームに対応する、これらの伝送からのシンボルは、伝送の格付けに基づいて判断される個々の順序で合成される。例えば、２つの最も高い格付けの伝送からのシンボルを最初に合成し、復号し、最初の２つの伝送から良好なフレームを得ることができないときは、次に、３番目に高い格付けの伝送からのシンボルを合成する、等。さらに加えて、多数の伝送からのシンボルは、合成前に、（例えば、パイロットのＥｃ／Ｉ０に基づいて）重み付けされる。
【００１２】
本発明の種々の態様および実施形態は、別途詳しく記載される。本発明は、別途詳しく記載するように、方法；受信機装置；端末；システム；プログラム製品；および本発明の種々の態様、実施形態、および特徴を実行する他の装置および要素も与える。
本発明の特徴、性質、および長所は、別途記載する詳細な説明から、図面と共に参照するとき、同じ参照符号が全体的に対応して同定され、より明らかになるであろう。
【発明を実施するための最良の形態】
【００１３】
図１は、多数のユーザを支援する無線多重アクセス通信システム100の図である。システム100は、多数の基地局104を含み、多数の基地局104は、多数の地理的領域102の受信可能領域を定めている。基地局は、ベーストランシーバシステム（base transceiver system, BTS）、アクセスポイント、ＵＴＲＡＮ、または幾つかの他の用語でも呼ばれる。基地局または受信可能領域、あるいはこの両者は、しばしば、セルと呼ばれる。システム100は、IS-95、W-CDMA、cdma2000、IS-856、および他の標準規格のような、１つ以上のＣＤＭＡの標準規格を実行するように設計される。
【００１４】
図１に示されているように、種々の端末106は、システム全体に分散している。１つの実施形態において、各端末106は、端末がアクティブであるかどうか、および端末が、２つ以上の基地局104から適切な順方向リンクの信号品質をもつ領域内にあるかどうかに依存して、所与の瞬間において、順方向リンク、または逆方向リンク、あるいはこの両者上で１つ以上の基地局104と通信する。順方向リンク（すなわち、ダウンリンク）は、基地局から端末への伝送を指し、逆方向リンク（すなわち、アップリンク）は、端末から基地局への伝送を指す。
【００１５】
図１に示されているように、基地局104ａは、ユーザ別のトラヒックデータを、順方向リンク上の端末106ａ、106ｂ、106ｄ、および106ｉへ伝送し、基地局106ｂは、ユーザ別のトラヒックデータを端末106ｄ、106ｅ、106ｆ、および106ｈへ伝送し、基地局104ｃは、ユーザ別のトラヒックデータを端末106ｄ、106ｈ、106ｊ、および106ｋへ伝送する。これらのユーザ別の伝送は、基地局と端末との間の実線によって示されている。システム内の他の端末は、基地局からの、ユーザ別のトラヒックデータの伝送ではなく、パイロット信号および共通／専用信号を受信する。これは、基地局とこれらの端末との間の点線によって示されている。端末106ｄおよび106ｈは、２つ以上の基地局からのオーバーラップしている受信可能領域内にあり、これらの端末の各々は、多数の基地局からのデータ伝送を同時に受信する。逆方向通信は、簡潔化のために、図１には示されていない。
【００１６】
システムに登録され、かつアクティブな通信をする各端末は、“アクティブな組”と関係付けられる。“アクティブな組”は、端末が通信する１つ以上のアクティブな基地局のリストを含む。アクティブな組は、一般に、端末がアクティブな通信をし、かつトラヒックチャネルを割り当てられたときに、“有効”であり、使用される。１つの実施形態において、システムに登録されているが、アクティブな通信をしていない各端末は、“仮想のアクティブな組”と関係付けられる。“仮想のアクティブな組”は、端末が通信している１つ以上の“仮想のアクティブな”基地局のリストを含む。仮想のアクティブな組内の１つの基地局は、一般に、基準基地局と呼ばれ、種々のシステムパラメータ（例えば、タイミング）は、この基地局を基準にしている。例えば、端末は、基準基地局のような、最強の受信信号をもつ基地局を示すか、またはシステムは、共通または専用の制御メッセージにおいて、何れが基準基地局であるかを示す。アクティブな、または仮想のアクティブな基地局は、ユーザ別のトラヒックデータまたは専用メッセージ（例えば、ページ）、あるいはこの両者を端末へ同時に伝送し、伝送の信頼性を高めることができる。
【００１７】
多数の伝送を選択的に合成するための、ここに記載されている技術は、種々のタイプの伝送に使用される。種々のタイプの伝送には、ユーザ別のトラヒックデータ、共通メッセージ、専用メッセージ、等を含む。共通メッセージは、システム内の全端末によって受信されるものであり、例えば、同報通信メッセージである。専用メッセージは、特定の端末を目標とするものであり、例えば、ページメッセージまたはユーザ別メッセージである。本発明のいくつかの態様および実施形態は、以下で、ページメッセージの選択的な合成について記載していることを明らかにしておく。ページメッセージは、一般に、ＣＤＭＡシステムのような無線通信システムにおいて伝送される。
【００１８】
図２は、基地局104の送信機装置200の実施形態のブロック図である。システム100は、トラヒックデータ（例えば、音声およびパケットデータ）、シグナリング（例えば、ページ、同報通信、および制御メッセージ）、等のような、種々のタイプのデータ伝送を支援する。伝送されるデータは、最初に、より高いシグナリング層（例えば、ＭＡＣ層）において処理され、その後で、より低いシグナリング層（例えば、物理層）によってさらに処理されて、無線リンク上で伝送するのに適した被変調信号が生成される。
【００１９】
順方向リンク上では、送信機装置200において、共通メッセージ、または専用メッセージ、あるいはこの両者が、１回につき、１メッセージずつ、メッセージ源から巡回冗長検査（ＣＲＣ）発生器212へ供給される。各メッセージにおいて、ＣＲＣ発生器212は、メッセージの内容および個々の多項式に基づいて、１組のＣＲＣビット（すなわち、ＣＲＣ値）を生成する。受信機は、これらのＣＲＣビットを使用して、メッセージを正しく受信したかどうかを判断する。ＣＲＣビットはメッセージに追加され、ＣＲＣの符号化されたメッセージは、フレームフォーマッタ214へ供給される。
【００２０】
フレームフォーマッタ214は、各ＣＲＣの符号化されたメッセージを、１つ以上のフレームへセグメント化する。各フレームは、一般に、一定の時間間隔（例えば、５、１０、または２０ミリ秒）において伝送され、各フレームの大きさは、メッセージに使用されるデータレートに依存する。ページメッセージの例において、フレームは、それぞれ、４．８キロビット秒または（cdma2000システムの場合は）９．６キロビット秒で伝送することができ、各２０ミリ秒のフレームは、９６または１９２ビットを含む。さらに加えて、フレームフォーマッタ214は、各フレームを、システムによって定められた個々のフォーマットへさらにフォーマットする。フォーマットされたフレームは、ＣＲＣ発生器216へ供給され、ＣＲＣ発生器216は、フレームの内容および別の多項式に基づいて、各フレームごとにＣＲＣビットの組を生成する。受信機は、これらのＣＲＣビットを使用して、フレームを正しく受信したかどうかを判断する。各フレームのＣＲＣビットは、フレームに追加され、ＣＲＣの符号化されたフレームは、符号器218へ供給される。
【００２１】
符号器218は、個々の符号化方式にしたがって、各ＣＲＣの符号化されたフレームを符号化して、符号化されたデータを供給する。符号化方式は、畳込み符号化、ターボ符号化、ブロック符号化、他の符号化、またはその組合せを含み、さもなければ符号化は全く行われない。一般に、トラヒックデータおよびメッセージは、別々の方式を使用して符号化され、異なるタイプのメッセージも別々に符号化される。各フレームの符号化されたデータは、一般に、悪いパスの影響に対して時間ダイバーシティを与えるようにインターリーブされる。
【００２２】
符号化され、インターリーブされたデータは、変調器220へ供給され、さらに処理されて、被変調データが生成される。変調器220による処理は、（１）個々の変調方式（例えば、ＢＰＳＫ、ＱＰＳＫ、Ｍ−ＰＳＫ、またはＭ−ＱＡＭ）に基づいて、符号化されたビットをシンボルへマップすることと、（２）ゼロ以上のシンボルを反復またはパンクチャ（すなわち、削除）して、希望のデータレートを得ることと、（３）シンボルを、直交または疑似直交符号（例えば、ウオルシュ符号、直交可変拡散率（orthogonal variable spreading factor, OVSF）符号、または疑似直交関数（quasi-orthogonal functions, QOF）でカバーして、メッセージを、割り当てられた符号チャネル（例えば、ページングチャネル）へチャネル化することと、（４）カバーされたデータを、基地局に割り当てられた複素ＰＮ系列で拡散することとを含む。
【００２３】
その後で、被変調データは送信機（transmitter, TMTR）222へ供給され、調整され（例えば、１つ以上のアナログ信号へ変換され、無線周波数へアップコンバートされ、増幅され、フィルターにかけられ、直角変調され）、無線リンク上で伝送するのに適した順方向リンクの被変調信号を生成する。その後で、順方向リンクの被変調信号は、アンテナ224を介して、システム内の端末へ伝送される。
【００２４】
符号器218および変調器220によって行われる特定の処理は、処理されるメッセージのタイプ、および実行されるＣＤＭＡの標準規格のような、種々の要因に依存する。上述の処理とは異なる信号処理も、本発明の技術的範囲内であり、実行される。受信機装置における誤り検出のために、ＣＲＣの代わりに、例えば、他の前方誤り検出（forward error detection, FED）符号を使用してもよい。
【００２５】
図３は、端末106の受信機装置300の実施形態のブロック図である。１つ以上の送信機装置からの１つ以上の順方向リンクの被変調信号は、アンテナ312によって受信され、受信信号は受信機（receiver, RCVR）314へ供給される。受信機314は、受信信号を調整し（例えば、フィルターにかけ、増幅し、ダウンコンバートし）、さらに、調整された信号をディジタル形式にして、サンプルのストリームを供給する。復調器（demodulator, Demod）316は、サンプルを受信して、処理して、回復されたシンボルを供給する。復調器316による処理は、（１）処理される信号インスタンスの到達時間に整列する複素ＰＮ系列でサンプルを逆拡散することと、（２）逆拡散されたサンプルをデカバーして、受信トラヒックデータおよびメッセージを各符号チャネル上へチャネル化することと、（３）デカバーされたデータを、回復されたパイロットでコヒーレントに復調して、復調されたシンボルを供給することと、（４）反復されたシンボルに対して復調されたシンボルを累積して、パンクチャされたシンボルに消去を挿入することと、（５）個々の変調方式に基づいて、（符号化されたビットの推定値である）マルチビット値へシンボルをデマップすることとを含む。一般に、復調器316による処理は、変調器220による処理と相補的である。
【００２６】
個々の基地局から伝送される順方向リンクの被変調信号は、１本以上の信号経路を介して端末に到達する。これらの信号経路は、直線の見通し経路または反射経路、あるいはこの両者を含む。伝送信号が反射源から反射して、見通し経路とは異なる経路を介して端末に到達するときに、反射経路は生成される。反射源（例えば、建物、樹木、または幾つかの他の構造）は、一般に、端末が動作している環境におけるアーティファクトである。したがって、端末における受信信号は、１つ以上の基地局からの多数の信号インスタンス（または、マルチパス）を含む。
【００２７】
復調器316は、受信信号内の多数の信号インスタンスを処理することができるレーキ受信機で実行される。レーキ受信機は、多数のフィンガープロセッサ（または単に、フィンガー）を含み、各フィンガープロセッサは、個々の基地局から個々のマルチパス成分を処理するように割当てられる。個々の送信機装置の割り当てられたフィンガープロセッサを使用して、全マルチパスからの復調されたシンボルを、これらのマルチパスのために与えられた“デスキュー”緩衝器を介して、適切に時間整列させ、時間整列したシンボルを、重み付けし、合成し、この送信機装置からの伝送に、回復されたシンボル（すなわち、被変調データ）を供給する。復調器316が、多数の送信機装置からの多数の伝送を受信し、処理すると、多数の回復されたシンボルストリームが、受信して処理される各伝送に１本づつ、これらの伝送に供給される。回復されたシンボルストリームは、復号器318へ供給される。
【００２８】
復号器318は、各回復されたシンボルストリームを受信し、送信機装置の符号器218によって行なわれる信号処理と相補的な信号処理を行う。復号器318が各回復されたシンボルストリームに行う処理は、（１）送信機装置において使用されるインターリービング方式と相補的なデインターリービング方式にしたがって、各フレームのシンボルをデインターリーブすることと、（２）送信機装置において使用される符号化方式と相補的な復号方式にしたがって、各フレームのデインターリーブされたシンボルを復号することとを含む。送信機装置において畳込み符号化またはターボ符号化がそれぞれ行なわれるときは、例えば、ビタビ復号器またはターボ復号器を使用する。ある特定のフレームにおける、デインターリーブされたシンボルは、送信機装置において符号化されたビットの推定値であり、デインターリーブされたシンボルは、シンボル緩衝器320へ供給され、別途記載するように、後で使用するために記憶される。各復号されたフレームは、ＣＲＣチェッカー322へ供給される。
【００２９】
ＣＲＣチェッカー322は、各復号されたフレームを、そのフレームに含まれるＣＲＣビットに基づいて検査して、フレームが正しく（すなわち、適切に）受信されたか、または誤って（すなわち、消去）で受信されたかを判断する。ＣＲＣチェッカー322は、ＣＲＣ検査済みフレームを、フレームアセンブラ324またはフレーム緩衝器326、あるいはこの両者に供給する。ＣＲＣチェッカー322は、また、各ＣＲＣ検査済みフレームの状態を制御装置330へ供給する。各ＣＲＣ検査済みフレームの状態は、フレームが適切であるか、または消去されるかを示す。
【００３０】
フレームアセンブラ324は、回復された各メッセージの１つ以上のフレームをアセンブルし、メッセージをＣＲＣチェッカー328へ供給する。ＣＲＣチェッカー328は、各メッセージを、そのメッセージと共に含まれるＣＲＣビットに基づいて検査して、メッセージが正しく受信されたか、または誤って受信されたかを判断する。その後、ＣＲＣチェッカー328は、ＣＲＣ検査済みメッセージを供給する。ＣＲＣ検査済みメッセージは、復号されたメッセージを表わす。ＣＲＣチェッカー328は、また、各ＣＲＣ検査済みメッセージの状態を制御装置330へ供給する。各ＣＲＣ検査済みメッセージの状態は、フレームが適切であるか、または消去されるかを示す。
【００３１】
制御装置330は、受信機装置300において種々の動作を命令し、メモリ332を使用して、制御装置330のデータおよび符号を記憶する。制御装置330は、ＣＲＣチェッカー322からのフレーム状態と、ＣＲＣチェッカー328からのメッセージ状態とを受信する。フレームおよびメッセージ状態、または受信機装置の個々の動作モード、あるいはこの両者に依存して、制御装置330は、シンボル、またはフレーム、あるいはこの両者を選択的に合成して、伝送されたメッセージを受信機装置において誤りなく回復するように命令する。フレーム、またはシンボル、あるいはこの両者を選択的に合成して、伝送されたメッセージを回復するための種々の方式は、別途記載する。
【００３２】
いくつかのＣＤＭＡシステム（例えば、Ｗ−ＣＤＭＡシステム）において、システム内の基地局は、全てが互いに同期するように動作するか、または互いに非同期になるように動作する。この同期動作または非同期動作の選択は、ネットワークオペレータが個々のシステムを動作するやり方に依存する。ＣＤＭＡシステムは、基地局のいくつかが同期し、他の基地局が同期しないように動作してもよい。システム内の基地局におけるいくつかの可能な構成は、別途記載する。
【００３３】
図４Ａは、多数（例えば、この例では、３つ）の基地局が、同期して動作するが、フレームの開始が整列していないシステム構成を示す図である。この構成において、３つの基地局のオーバーヘッドチャネルのフレームは、同時に始まらないが、その代りに、いくつかの（一定の）値によって相互にずれている。オーバーヘッドチャネルは、シグナリングおよび他のタイプの情報を端末へ伝送するのに使用されるチャネルであり、一般に、ページングチャネル、同報通信チャネル、等を含む。これらの種々のタイプの情報は、（例えば、所与の端末におけるページのように）不連続であっても、または（例えば、端末への同報通信）連続的であってもよい。３つの基地局間の同期は、これらの基地局のオーバーヘッドチャネルフレーム間の時間関係が、おそらくは公称値あたりの小さい変動を除いて、時間においてほぼ一定であることによって示される。この構成において、所与の時間インスタンスにおけるオーバーヘッドチャネルフレームのフレーム数は、３つの全基地局において同じである。
【００３４】
図４Ｂは、３つの基地局が非同期に動作するシステム構成を示す図である。この構成において、基地局は、同期しておらず、これらの基地局のオーバーヘッドフレーム間の時間関係は、例えば、トラヒック量が等しくないために、または伝送および待ち行列の遅延が異なるために、時間にしたがって変化する。このドリフトの長期間の平均値はゼロであっても、またはゼロ以外の値（すなわち、基地局間の時間差が、連続的に増減する）であってもよい。非同期の動作のために、これらの基地局のオーバーヘッドチャネルは、（偶然の一致でなければ）同時に開始する可能性は低い。さらに加えて、所与の時間インスタンスにおけるオーバーヘッドチャネルフレームのフレーム数が、全基地局において同じである可能性は低い。
【００３５】
システム内の端末は、多数の送信機装置から多数の伝送を同時に受信する。これらの送信機装置は、システム内の物理的に別々の基地局内に位置する。その代りに、基地局が、所与のセル内の多数のセクターにサービスするような基地局であれば、これらの送信機装置は、同じ基地局内に一緒に位置していてもよい。端末において受信される多数の送信の各々は、図２において既に記載した各送信機装置において処理される（例えば、符号化および変調される）。
【００３６】
確実性を向上し、かつ正しい受信の可能性を向上するために、端末は、多数の送信機装置からの同様にフォーマットされたメッセージを、同じ基礎メッセージとして受信する。例えば、同じ内容をもち、かつ同様のやり方で生成される多数のページメッセージは、端末の多数の送信機装置から伝送される。
【００３７】
（図４Ａに示されているような）同期構成か、または（図４Ｂに示されているような）非同期構成において、多数の送信機装置から伝送を受信するとき、多数の送信機装置からの伝送は、所与の基礎メッセージに同期しない。例えば、（１）非同期の送信機装置の異なる基準時間、または（２）同期送信機装置における待ち行列遅延、伝送遅延、ローディング、等のような、種々の要因のために、同様にフォーマットされたメッセージは、異なる時間において、多数の送信機装置から伝送される。したがって、多数の送信機装置からの同様にフォーマットされたメッセージは、端末によって異なる時間に受信され、送信機装置および伝送は、これらのメッセージと非同期であるとみなされる。これらのメッセージが、端末において必要時間ウインドウ内で（例えば、端末のレーキ受信機のフィンガープロセッサのデスキュー緩衝器の最大デスキューイング能力内で）時間整列しないときは、これらのメッセージのシンボルは、復号前に、直接的に合成できない。別途記載するように、これらのメッセージを処理するために他の技術が必要とされる。
【００３８】
送信機装置からの伝送は、システム内の端末の共通の（例えば、同報通信）メッセージ、または専用（例えば、ページ）メッセージを含む。共通メッセージは、システム内の全ての端末によって受信される。各専用メッセージは、メッセージ内の受信フィールドによって示されるように、特定の端末、または特定のグループの端末へ宛てられる。専用メッセージが、システム内の全端末によって受信されても、各専用メッセージによってアドレス指定された特定の端末のみが、メッセージを処理する。全ての他の端末は、最初の処理を行なって、メッセージがそれらに宛てられておらず、これ以上の動作を行わないことを認識する。
【００３９】
各メッセージは固定長または可変長をもち、１つまたは多数のフレームをまたぐ。各メッセージの保全性を保護するために、メッセージがフレームに分割される前に、ＣＲＣ値がメッセージレベルにおいて追加される（例えば、ＣＲＣビットの組は、図２のＣＲＣ発生器212によってメッセージ内の全ビットから生成される）。その後で、別のＣＲＣ値は、フレームレベルにおいてメッセージの各フレームへ追加される（例えば、ＣＲＣビットの組は、ＣＲＣ発生器216によって各フレーム内の全ビットから生成される）。
【００４０】
所与の端末は、１つまたは多数の送信機装置から、１つまたは多数の伝送を受信する。送信機装置の組は、より早い段階における（例えば、端末がそのオーバーヘッドメッセージを受信するときの）端末に対して識別される。その後で、端末は、これらの送信機装置からの伝送を受信し、処理し、トラヒックデータまたはメッセージ、あるいはこの両者を受信する。これらの送信機装置は、端末のアクティブな組または仮想のアクティブの組内に含まれる。
【００４１】
１つの実施形態において、各端末は特定の指定時間または時間間隔において送られるメッセージのみを受信する。例えば、ページメッセージは、一般に、既知のスケジュールに基づいて端末へ送られる。システム内の端末は、固有の識別に基づいて多数のグループへ分割される。固有の識別は、電子通し番号（Electronic Serial Number, ESN）、移動識別番号（Mobile Identification Number, MIN）、国際移動加入者識別番号（International Mobile Subscriber Identification number, IMSI）、または端末を固有に識別する他の識別である。端末の各グループは、そのグループに対して指定される特定の時間（すなわち、スケジュール）であるならば、ページメッセージを受信する。各グループ内の端末へメッセージを伝送するためのスケジュールは、永久に固定されるか、または時間にしたがって変化する。さらに加えて、全送信機装置が、各端末グループごとに同じスケジュールにしたがっても、または各送信機装置が、各端末グループごとに異なるスケジュールを定めて、使用してもよい。
【００４２】
何れの場合においても、各端末は、メッセージを受信する送信機装置（すなわち、端末のアクティブな組の中の送信機装置）によって使用されるスケジュールを与えられる。同じスケジュールは、アクティブな組または仮想のアクティブな組の全送信機装置に使用されるか、あるいは各送信機装置は異なるスケジュールを使用して、メッセージを端末へ伝送する。端末は、各送信機装置がメッセージを端末へ送るときを事前に知っている。
【００４３】
既に記載したように、メッセージは、個々の固定長であっても、または可変長であってもよい。端末は、各メッセージの長さを事前に知らされるか、またはメッセージ内に含まれる（一般に、メッセージの第１のフレーム内に含まれる）長さフィールドを介してメッセージの長さを判断することができる。可能なメッセージのスケジュールおよび各メッセージの長さが分かると、端末は、自分に宛てられた各伝送メッセージを受信することができる。
【００４４】
アイドルの端末は、バッテリ電力を節約するために、指定時間の間は“スリープ”であり、アクティブな組の１つ以上の送信機装置からの1つ以上の伝送を処理して、メッセージが端末へ送られたかどうかを判断するために、各指定時間の少し前に起動するだけでよい。端末が、メッセージが自分に送られた（または、クイックページング指標がクイックページングチャネル上で伝送されているときは、自分に送られたかもしれない）と判断すると、端末は、１つ以上の送信機装置から受信した１つ以上の伝送を処理する。さもなければ、端末が、（例えば、クイックページング指標がないことによって）メッセージが自分に送られていないと判断すると、端末はスリープ状態へ戻ることができ、その後で次の指定時間前に起動して、次のメッセージを処理する。
【００４５】
チャネル状態と、ハードウエアおよびソフトウエアの制限とが許可するときは、端末は受信信号を処理して、少なくとも１つのフィンガープロセッサを、各送信機装置から受信した各伝送へ割り当てる。各フィンガープロセッサは、そのフィンガープロセッサに割り当てられた特定の信号インスタンス（または１つのマルチパス成分）を処理し、復調されたシンボルのストリームを供給する。多数のフィンガープロセッサが、個々の送信機装置からの多数の信号インスタンスを処理するように割り当てられたときは、これらのフィンガープロセッサからの復調されたシンボルを、（デスキュー緩衝器を介して）時間において整列させ、合成して、回復されたシンボルの１本のストリームを、その送信機装置からの伝送へ供給する。したがって、回復されたシンボルの多数のストリームは、復調器によって、多数の送信機装置から受信した多数の伝送へ、１受信伝送に対して１ストリームずつ、供給される。これらの回復されたシンボルストリームは、別途記載するように処理され、伝送メッセージを回復する。
【００４６】
図５は、多数の送信機装置から多数の伝送を介して伝送される個々の希望の（基礎）メッセージを回復するための処理500の実施形態のフローチャートである。この実施形態では、端末は、最初に、各回復されたシンボルストリームを別々に処理して、希望のメッセージを誤りなく回復することを試みる。希望のメッセージが単一のストリームから誤りなく回復できないときは、多数のストリームからの部分（例えば、フレームまたはシンボル、あるいはこの両者）を合成して、メッセージを回復することを試みる。
【００４７】
1つの実施形態において、回復されたシンボルストリームは、一度に１本づつ、これらのストリームの信号品質に基づいて判断される個々の順序で処理される。所与のストリームの信号品質は、種々のやり方で、例えば、ストリームの信号対雑音および干渉比（signal-to-noise-and-interference ratio, SNR）、１チップ当りのパイロットエネルギー対総雑音比（Ｅｃ／Ｉ０）、等によって推定される。最良の信号品質と関係付けられるストリームは、最初に処理され、第２の最良の信号品質と関係付けられるストリームは、次に処理される、等。
【００４８】
ステップ512において、各ストリームは、メッセージの各フレームごとにシンボルをデインターリーブして復号し、各復号されたフレームに対してＣＲＣ値を検査し、復号されたフレームをアセンブルしてメッセージを形成し、メッセージのＣＲＣ値を検査することによって処理される。処理されている現在のストリームに対して、他の信号品質メトリクスを得て、監視する。このような品質メトリクスは、例えば、再符号化シンボル誤り率（symbol error rate, SER）、再符号化された電力メトリクス、“変更型”ヤマモトメトリクス、等を含む。これらの品質メトリクスは、2001年3月15日に出願された米国特許出願第09/810,685号（“Method and Apparatus for Adjusting Power Control Setpoint in a Wireless Communication System”）に記載されており、これは、本出願の譲受人に譲渡され、ここでは参考文献として取り上げている。
【００４９】
ステップ514では、処理されている現在のストリームから回復されたメッセージの品質が十分であるかどうか（例えば、フレームおよびメッセージレベルの両者において、ＣＲＣ検査を行うかどうか）が判断される。メッセージの品質が十分であるときは、ステップ516において、ストリームから回復されたメッセージが（例えば、より高いシグナリング層によって）処理され、処理は終了する。
【００５０】
さもなければ、回復されたメッセージの品質が不十分である（例えば、フレームレベルまたはメッセージレベルの何れにおいても、ＣＲＣの検査をしない）ときは、ステップ518において、次に、別の（まだ処理されていない）ストリームが処理に使用できるかどうかを判断する。別のストリームが使用可能であるときは、ステップ520において、次のストリーム（例えば、次に最良の信号品質をもつストリーム）を処理して、このストリームから回復されたメッセージの品質を検査する。その後で、処理はステップ514に戻って、現在のストリームのメッセージ品質が十分であるかどうかを判断する。ここでも、メッセージの品質が十分であるときは、ステップ516において、現在のストリームから回復されたメッセージは、（より高いシグナリング層によって）別の処理に与えられる。
【００５１】
ステップ514、518、および520によって形成される第１のループは、使用可能なストリームがあり、かつ回復されたメッセージの品質が不十分である限り、何度も反復される。十分な品質の第１の回復されたメッセージは、別の処理に与えられ、残りのストリームは無視されるか、または他のメッセージの可能な合成のために記憶される。
【００５２】
再び、ステップ518において、全てのストリームが処理され、これらのストリームから回復されたメッセージの何れも十分な品質をもたないときは、ステップ530において、処理は、多数のストリームの種々の部分（例えば、フレーム、またはシンボル、あるいはこの両者）を合成して、メッセージを誤りなく回復することを試みる。多数のストリームを合成するのに、種々の方式が使用される。その中のいくつかは、さらに詳しく別途記載する。ブロック530は、多数のストリームを合成して、メッセージを回復するための特定の実施形態である。
【００５３】
最初に、ステップ532において、多数のストリームの全ての許容合成を試験したかどうかを判断する。メッセージを回復するために試験される異なる合成の数は制限されていて、この数は、多数の伝送および可能な他の要素を合成するために実行される特定の方式に依存する。全ての許容合成を試験して、それでもメッセージを誤りなく回復できないときは、ステップ534において、メッセージに対して消去を宣言し、処理は終了する。
【００５４】
さもなければ、ステップ536において、多数のストリームの部分は、新しい合成メッセージを形成するのに実行される合成方式によって判断される個々のやり方で合成される。ここでも、ステップ536において、さらに詳しく別途記載されるように、種々の方式が使用される。その後で、ステップ538において、合成メッセージの品質を検査する。ステップ540において、（例えば、フレームレベルおよびメッセージレベルの両者において、ＣＲＣを検査するとき）合成メッセージの品質が十分であると判断されると、ステップ542において、多数のストリームから回復された合成メッセージは、別の処理に与えられ、処理は終了する。さもなければ、処理はステップ532へ戻って、多数のストリームの別の合成を試験するかどうかを判断する。ステップ532ないし540によって形成される第２のループは、多数の許容合成数と同数回、合成メッセージの品質が不十分である限り、反復される。
【００５５】
多数の送信機装置から多数の伝送を介して伝送される個々の希望メッセージを回復するための別の実施形態において、全ての回復されたシンボルストリームが（例えば、並列に、および直列に）処理され、最良の品質をもち、かつ個々の品質の閾値を上回っているストリームから回復されたメッセージは、別の処理に与えられる。ここでも、誤りのない希望のメッセージを１本のストリームから回復できないときは、多数のストリームからの部分を合成して、誤りのない希望のメッセージを回復することを試みる。
【００５６】
既に記載したように、１本のストリームから希望のメッセージを誤りなく回復できないときは、多数の受信伝送における多数の回復されたシンボルストリームの部分を合成する種々の方式を使用する。多数のストリームの合成は、フレームレベルにおいて、またはシンボルレベルにおいて、あるいはこの両者において行われる。さらに加えて、（１）送信機装置が非同期に実行されるかどうか、（２）端末が、送信機装置のフレームレベルのタイミングをもつかどうか、等のような、種々の要素に依存して、種々のやり方で合成を行ってもよい。
【００５７】
図６は、多数の伝送からのフレームを合成して、個々の希望の（または基礎）メッセージを回復するための処理630の１つの実施形態のフローチャートである。この実施形態において、端末は、各受信伝送のフレームレベルのタイミングを知っていると仮定する。このフレームレベルのタイミングは、送信機装置から供給されるか、または伝送の良好なフレームから回復される。処理630を、図５のブロック530に使用してもよい。
【００５８】
最初に、ステップ632において、回復されたシンボルストリームの１つは、第１のストリームとして選択され、他の全ての回復されたシンボルストリームは、第２のストリームとしてみなされる。第１のストリームは、最良の信号品質をもつストリームか、または最低数の消去フレームをもつストリームである。第１のストリームは、いくつかの他の基準に基づいて選択することもできる。
【００５９】
ステップ634において、第１のストリームから回復されたメッセージ内の消去フレームを識別する。ステップ636において、メッセージ内に消去フレームが存在すると判断されるときは、ステップ638において、第２のストリームの中の１つから、消去フレームに対応する良好なフレームを識別する。この実施形態において、端末はフレームレベルのタイミングをもつので、多数の伝送から対応するフレームを整合させることができる。
【００６０】
ステップ640において、消去フレームの代わりに、第２のストリームから良好なフレームが見付かったかどうかを判断する。良好なフレームが見付かったときは、ステップ642において、消去フレームは、良好なフレームに代わる（すなわち、置換される）。その後で、処理はステップ634へ戻り、メッセージ内に別の消去フレームがあるかどうかを検査する。また、消去フレームの代わりに、第２のストリームから良好なフレームが回復されなかったときは、ステップ652において、メッセージに対して消去が宣言され、処理は終了する。
【００６１】
消去フレームの代わりに、良好なフレームが、第２のストリームから回復できないとき、より早く終了しない限り、第１のストリームから回復されたメッセージ内の各消去フレームに対して、ステップ634ないし642によって形成されるループが反復される。ステップ636において、第１のストリームから回復されたメッセージ内の全消去フレームが、第２のストリームからの良好なフレームと置換されたと判断されたときは、ステップ644において、合成メッセージに対してＣＲＣを検査する。ステップ646において、メッセージレベルにおいてＣＲＣを検査したと判断されると、ステップ648において、多数のストリームから回復された合成メッセージを、別の処理に与え、処理は終了する。また、メッセージレベルにおいてＣＲＣを検査しないときは、ステップ652において、メッセージに対して消去を宣言し、同様に処理は終了する。
【００６２】
上述の実施形態において、ＣＲＣは、所与のフレームが正しく受信されたか、または誤って受信されたかを判断することに依存する。ある特定の例において、フレームは、誤って受信されても、ＣＲＣの検査に通る。したがって、第１のストリームから回復されたメッセージ内の所与の消去フレームの代わりに、多数の第２のストリームから多数の良好なフレームが回復されるときは、これらの良好なフレームを互いに比較して、同じ内容を含んでいるかどうかを判断する。これらの推定上良好なフレームの内容が同じでないときは、異なる内容をもつ各異なる良好なフレームが、消去フレームに代わり、その後で、各合成に対して、メッセージレベルにおいてＣＲＣを検査する。したがって、図６のフローチャートは、所与の消去フレームから、異なる良好なフレームへの多数の置換を実行するように変更される。
【００６３】
図７は、多数の伝送からフレームを合成して、個々の希望のメッセージを回復するための処理730の別の実施形態のフローチャートである。この実施形態において、端末は、受信した伝送のフレームレベルのタイミングを知らない。これは、送信機装置が非同期に動作するときに当てはまる。処理730は、図５のブロック530にも使用される。
【００６４】
最初に、ステップ732において、回復されたシンボルストリームの１つは、第１のストリームとして選択され、他の全ての回復されたシンボルストリームは、第２のストリームとみなされる。ステップ734において、第１のストリームから回復されたメッセージ内の全消去フレームが識別される。ステップ738において、メッセージの全ての良好なフレームが、第２のストリームから回復され、同じく識別される。
【００６５】
ステップ742において、消去フレームを、ステップ738において既に識別された全ての良好なフレームの中から選択した良好なフレームの組に代えることによって、新しい合成メッセージが形成される。端末がフレームレベルのタイミングをもたないときは、何れの良好なフレームが所与の消去フレームに対応しているかを判断することはできない。この場合に、端末は、消去フレームを、良好なフレームの種々の異なる合成に代えることを試みることができる。各合成メッセージは、消去フレームを、良好なフレームの異なる組（または合成）に代えることによって形成され、ステップ744において、合成メッセージに対してＣＲＣを検査する。ステップ746において、メッセージレベルでＣＲＣを検査すると判断されると、ステップ748において、多数のストリームから回復された合成メッセージを、別の処理に与え、処理は終了する。
【００６６】
また、この合成メッセージに対してメッセージレベルでＣＲＣを検査しないときは、ステップ750において、全ての許容合成を試験したかどうかを判断する。全ての合成が、まだ試験されていないときは、処理はステップ742へ戻って、評価のための新し合成メッセージを形成する。また、全ての合成を試験し、かつ合成メッセージに対して、メッセージレベルのＣＲＣを検査しないときは、ステップ752において、メッセージに対して消去を宣言して、同様に処理は終了する。
【００６７】
上述の実施形態において、フレームレベルのタイミングは事前に分かっていないので、メッセージレベルのＣＲＣに依存して、多数の伝送から回復されるフレームの適切な整列を判断する。種々の技術を使用して、試験する異なる合成の数を制限する。
１つの実施形態において、基地局は最大時間遅延を判断して、端末へ伝える。その後で、端末は、この最大遅延内の信号ストリームの全ての合成を試験する。別の実施形態において、最大時間遅延は、その処理および記憶能力にしたがって、端末によって設定される。さらに別の実施形態において、いくつかのフレームは、メッセージの順序番号、メッセージ内のフレーム番号、またはこの両者を含む。端末は、この情報を使用して、並列ストリームから、正しく受信したフレームを整合させる。さらに別の実施形態では、端末は、“見積もり”演算（例えば、受信フレーム間と、ベクトル内の構成要素としてのシンボルとの内積をとること）を行って、ストリーム間の整合を判断することができる。この実施形態では、ベクトルを、所与のストリームからの１つのフレームまたは多数のフレームからの軟判定シンボルまたは硬判定シンボルの全てまたは一部によって形成する。このベクトルは、別のストリームからのシンボルによって形成される別のベクトルとの内積（ドット積）演算への入力として使用する。結果の値は、２本のストリーム間またはそれらの時間ずれの類似性または似寄りのメトリクスである。最初に、復号およびＣＲＣ検査のための、１対のストリーム間の（上述の内積演算によって定められた）最も確率の高い時間ずれが合成される。このペアリングに失敗すると、次に最も確率の高い対を合成し、試験する。全ての可能なペアリング、またはある特定のレベル以上の尤度をもつ全ての可能なペアリングが試験されるまで、この処理を続けることができる。
【００６８】
再び図３を参照すると、各復号フレームは、ＣＲＣチェッカー322によってフレームレベルのＣＲＣに基づいて検査され、ＣＲＣ検査に通ったフレームはフレーム緩衝器326へ供給される。したがって、フレーム緩衝器326を使用して、受信機装置によって回復される各メッセージのために受信した良好なフレームを記憶する。その後で（例えば、制御装置330によって判断される）良好なフレームの適切な合成を検索して、フレームアセンブラ324へ供給する。フレームアセンブラ324は、これらのフレームをアセンブルして、合成メッセージを形成する。ＣＲＣチェッカー328は、メッセージレベルのＣＲＣに基づいて合成メッセージを検査し、メッセージ状態を制御装置330へ供給する。メッセージ状態が、合成メッセージが消去されたことを示すときは、制御装置330はフレーム緩衝器326に、良好なフレームの別の組をフレームアセンブラ324へ供給して、別の合成メッセージを形成するように命令する。この処理は、合成メッセージがメッセージレベルのＣＲＣに通るか、または全ての許容合成が試験されるまで反復される。
【００６９】
ある特定の例では、第１のストリームから回復されたメッセージ内の消去フレームの代わりに、良好なフレームは第２のストリームから回復されない。この場合に、消去フレームを、１本のストリームから得られた別の良好なフレームに代えることはできない。メッセージを消去すると宣言する代わりに、種々の方式を使用して、多数の伝送から回復されたシンボルを用いて、この消去フレームに代わる良好なフレームを得ることを試みる。特定のシンボル合成方式は、さらに詳しく別途記載される。
【００７０】
図８は、多数の伝送からのシンボルを合成して、個々のフレームを誤りなく回復するための処理838の実施形態のフローチャートである。この実施形態では、端末は、受信伝送のシンボルレベルのタイミングを知っていると仮定する。処理838は、図６および７のステップ638および738内でも、それぞれ使用され、消去フレームに代わる良好なフレームを与える。
【００７１】
最初に、ステップ842において、回復されたシンボルストリームの中の１つを、第１のフレームとして選択する。ステップ844において、他の全ての回復されたシンボルストリームは、第２のストリームとみなされ、個々の順序で格付けされる。格付けは、（１）これらのストリームと関係付けられている信号品質（例えば、最高の信号品質をもつストリームは、最高と格付けされる）、（２）これらのストリームから回復されたメッセージに対する消去フレームの数（例えば、最低数の消去フレームをもつストリームは、最高と格付けされる）、またはいくつかの他の基準に基づく。
【００７２】
ステップ846において、第１のストリームから回復され、かつ良好なフレームと置換される、メッセージ内の消去フレームを識別する。次に、ステップ848において、消去フレームに代わる良好なフレームを得るのに使用される累積シンボルを、特定の値（例えば、ゼロ）か、または消去フレームからのシンボルに初期設定する。ステップ850において、消去フレームに対応する最高格付けの（まだ合成されていない）第２のストリームを識別し、ステップ852において、この対応するフレームのシンボルを、累積シンボルと合成する。
【００７３】
ステップ854において、多数の伝送からのシンボルの累積によって形成された合成フレームを、フレームレベルにおいて復号して、検査する。ステップ856において、この合成フレームに対してＣＲＣを検査すると判断されると、ステップ858において、消去フレームに代わる良好なフレームとして、合成フレームが供給され、処理は終了する。
【００７４】
また、この合成フレームに対してＣＲＣを検査しないときは、ステップ860において、全ての第２のストリームが処理されたかどうかを判断する。全ての第２のストリームがまだ処理されていないと判断すると、処理はステップ850へ戻って、次に最も高い格付けの第２のストリームからのシンボルを使用して、新しい合成フレームを形成する。また、全ての第２のストリームが合成されていて、合成フレームに対してフレームレベルのＣＲＣを検査しないときは、ステップ862において、このフレームに対して消去を宣言し、同様に処理は終了する。
【００７５】
図８は、異なるストリームからのシンボルを、受信伝送に対応する、回復されたシンボルストリームの格付けに基づいて、特定の順序で合成する実施形態を示している。マルチパスおよび他の現象のために、これらの伝送の品質は時間にしたがって変化する可能性がある。したがって、（例えば、フレームが合成されるのとほぼ同時に、または可能な限り短い時間差で受信されるパイロットに対するＥｃ／Ｉ０の推定に基づいて）各消去フレームに対して、格付けを行なう。
【００７６】
異なるストリームからのシンボルは、種々のやり方でも合成される。１つの実施形態において、各シンボル期間における多数のストリームからのシンボルを線形に合成し、そのシンボル期間における累積シンボルを得る。別の実施形態では、各ストリームからのシンボルを、シンボルの推定品質によって（例えば、ストリームに対するパイロットのＥｃ／Ｉ０によって）重み付けして、多数のストリームからの重み付けされたシンボルを合成して、累積シンボルを得る。コヒーレントな復調を行うとき、すなわち個々の符号チャネルから回復されたシンボルと、回復されたパイロットとをベクトル乗算して、復調されたシンボルを得るときに、推定の信号品質によるシンボルの重み付けが自動的に行なわれる。ベクトルの倍数は、回復されたパイロットによって推定されるように、ストリームの信号品質によってシンボルに重み付けをする。
【００７７】
図３を再び参照すると、各復調されたフレームを復号器318へ供給し、復調されたフレーム内のシンボルをデインターリーブし、復号し、対応する復号フレームを得る。第１のストリームから回復されたメッセージ内の各消去フレームにおいて、復号器318は、第１のストリームからの消去フレームと、消去フレームに対応する第２のストリームからのフレームとをシンボル緩衝器320へ供給する。シンボル緩衝器320は、シンボルのフレームを記憶するのに使用される。シンボルのフレームを合成して、各消去フレームに代わる良好なフレームを得る。
【００７８】
その後で、消去および対応するフレームをシンボル緩衝器320から検索して、既に記載したように復号器318内で合成して、消去フレームに代わる合成フレームを得る。各合成フレームは、消去フレームまたは対応するフレーム、あるいはこの両者の個々の組から得られ、これは、制御装置330によって判断される。復号器318は、各合成フレームを復号して、復号されたフレームを得て、ＣＲＣチェッカー322によって復号されたフレームを、フレームレベルのＣＲＣに基づいて検査する。さらに加えて、ＣＲＣチェッカー322は、フレーム状態を制御装置330に供給する。フレーム状態が、合成フレームが消去されることを示すとき、制御装置330は、シンボル緩衝器320に命令して、別の第２のストリームからのシンボルを復号器318へ供給し、復号器318は、これらのシンボルを、前の累積シンボルと合成して、別の合成フレームを形成する。この処理は、合成フレームが、フレームレベルのＣＲＣに通るか、または全てのストリームが処理されるまで、反復される。
【００７９】
多数の伝送を（例えば、フレームレベル、またはシンボルレベル、あるいはこの両者において）選択的に合成して、誤りのないメッセージを回復するための、ここに記載されている技術は、種々の手段によって実行される。例えば、これらの技術は、ハードウエア、ソフトウエア、あるいはその組合せにおいて実行される。ハードウエアの実行では、この技術の１つまたはその合成を実行するのに使用される要素は、１つ以上の特定用途向け集積回路（application specific integrated circuit, ASIC）、ディジタル信号プロセッサ（digital signal processor, DSP）、ディジタル信号処理装置（digital signal processing device, DSPD）、プログラマブル論理装置（programmable logic device, PLD）、フィールドプログラマブルゲートアレイ（field programmable gate array, FPGA）、プロセッサ、制御装置、マイクロ制御装置、マイクロプロセッサ、ここに記載されている機能を実行するために設計された他の電子装置、またはその組合せの中で実行される。
【００８０】
ソフトウエアの実行では、選択合成技術は、ここに記載されている機能を実行するモジュール（例えば、手続き、機能、等）を使用して実行される。ソフトウエアの符号は、メモリ装置（例えば、図３のメモリ332）内に記憶され、プロセッサ（例えば、制御装置330）によって実行される。メモリ装置は、プロセッサ内に構成されても、またはプロセッサの外に構成されていてもよく、この場合に、メモリ装置は、この技術において知られている種々の手段を介してプロセッサに通信上で接続することができる。
【００８１】
ハードウエア／ソフトウエアの実行において、処理の一部をハードウエアによって実行し、他の処理をソフトウエアによって実行してもよい。例えば、図３において、復調、復号、フレームレベルのＣＲＣ検査、シンボル累積、およびフレームアセンブリをハードウエアにおいて実行して、メッセージレベルのＣＲＣ検査をソフトウエアにおいて実行してもよい。
【００８２】
ここでは、参照のために、ある特定の段落の位置を指定するのを助けるための見出しが含まれている。これらの見出しは、見出しの下に記載されている内容の技術的範囲を制限することを意図しておらず、これらの内容は明細書全体の他の部分へ適用される。
【００８３】
上述の開示された実施形態は、当業者が、本発明を作成または使用できるようにするために与えられている。これらの実施形態に対する種々の変更は、当業者には容易に分かり、ここに定められている包括的な原理は、本発明の意図または技術的範囲から逸脱することなく、他の実施形態へ適用できる。したがって、本発明は、ここに示されている実施形態に制限されることを意図されておらず、ここに記載されている原理および新規な特徴に一致する最も幅広い範囲にしたがうことを意図されている。
【図面の簡単な説明】
【００８４】
【図１】多数のユーザを支援する無線多重アクセス通信システムの図。
【図２】基地局の送信機装置の実施形態のブロック図。
【図３】端末の受信機装置の実施形態のブロック図。
【図４Ａ】基地局が同期して動作するシステム構成を示す図。
【図４Ｂ】基地局が非同期で動作するシステム構成を示す図。
【図５】多数の受信伝送からメッセージを回復するための処理の実施形態のフローチャート。
【図６】多数の受信伝送からフレームを合成して、個々のメッセージを回復するための処理の実施形態のフローチャート。
【図７】多数の受信伝送からフレームを合成して、個々のメッセージを回復するための処理の実施形態のフローチャート。
【図８】多数の受信伝送からシンボルを合成して、個々のフレームを回復するための処理の実施形態のフローチャート。
【符号の説明】
【００８５】
100・・・無線多重アクセス通信システム、102・・・地理的領域、104・・・基地局、106・・・端末、200・・・送信機装置、300・・・受信機装置、500、630、730、838・・・処理。
【図１】
2005528007.tif 000003
【図２】
2005528007.tif 000004
【図３】
2005528007.tif 000005
【図４Ａ】
2005528007.tif 000006
【図４Ｂ】
2005528007.tif 000007
【図５】
2005528007.tif 000008
【図６】
2005528007.tif 000009
【図７】
2005528007.tif 000010
【図８】
2005528007.tif 000011
【国際調査報告】
2005528007.tif 000012
2005528007.tif 000013
2005528007.tif 000014